(57)【要約】【課題】ほこりやゴミが広がることなく、騒音を発生せずに天井仕上材を剥がして解体、回収することができる、天井仕上材解体回収装置を提供する。【解決手段】本体部１と、本体部１に対して上下動可能な解体ユニット２と、本体部１内に収容可能な回収箱３と、からなり、解体ユニット２は、支持台５と、支持台５の後方に取り付けた解体刃ユニット６と、からなり、解体刃ユニット６はフォーク６１１を突設した解体刃６１を有し、解体刃６１は支持台５に対して上下方向に移動可能であり、支持台５は下部に開口部５１１を有し、開口部５１１下方に回収箱３を配置する。【選択図】図１
2018178494.tif 000002
【特許請求の範囲】
【請求項１】
本体部と、前記本体部に対して上下動可能な解体ユニットと、前記本体部内に収容可能な回収箱と、からなり、
前記解体ユニットは、支持台と、前記支持台の後方に取り付けた解体刃ユニットと、からなり、
前記解体刃ユニットはフォークを突設した解体刃を有し、前記解体刃は前記支持台に対して上下方向に移動可能であり、
前記支持台は下部に開口部を有し、前記開口部下方に前記回収箱を配置することを特徴とする、天井仕上材解体回収装置。
【請求項２】
請求項１に記載の天井仕上材解体回収装置において、
前記解体刃は前記支持台に対して前後方向に移動可能であることを特徴とする、天井仕上材解体回収装置。
【請求項３】
請求項１又は２に記載の天井仕上材解体回収装置において、
前記解体ユニットには、前記支持台の前部に切断工具を設け、前記切断工具の刃は前記支持台の上面から突出可能に構成することを特徴とする、天井仕上材解体回収装置。
【請求項４】
請求項１乃至請求項３のいずれか一項に記載の天井仕上材解体回収装置において、
前記支持台の前記開口部と前記回収箱との間にシュートを設けることを特徴とする、天井仕上材解体回収装置。
【請求項５】
請求項１乃至請求項４のいずれか一項に記載の天井仕上材解体回収装置において、
前記回収箱は、箱体の内部に袋体を設けて構成し、
前記箱体と前記袋体の間に、クッション材を設けることを特徴とする、天井仕上材解体回収装置。
【請求項６】
請求項３乃至請求項５のいずれか一項に記載の天井仕上材解体回収装置において、
前記切断工具の刃の前記支持台の上面からの突出長さを調整可能であることを特徴とする、天井仕上材解体回収装置。
【請求項７】
請求項１乃至請求項６のいずれか一項に記載の天井仕上材解体回収装置において、
前記本体部は、下部に設けたキャスターにより自走可能であることを特徴とする、天井仕上材解体回収装置。
【発明の詳細な説明】
【技術分野】
【０００１】
本発明は、リニューアル工事等において天井仕上材を解体しながら回収する天井仕上材解体回収装置に関するものである。
【背景技術】
【０００２】
建物の内装リニューアル工事や耐震補強工事を行う際、天井仕上材を解体することがよく行われる。
天井仕上材は化粧石膏ボードや石膏ボードに塗装やクロス等を施したものであり、天井下地材（野縁）に釘やビス、接着剤等によって固定されている。
従来、天井仕上材を解体する場合には、作業員がバールや手作業によって天井下地材から天井仕上材を剥がしている。
【発明の概要】
【発明が解決しようとする課題】
【０００３】
しかし、従来の天井仕上材を解体する方法には以下の問題点がある。
（１）天井下地材から剥がした天井仕上材はそのまま床面に落下させるため、床全体が天井仕上材やその破片、天井仕上材裏に溜まっていたほこりだらけになってしまう。このため、対象となる室内の床全体を養生する必要がある。
（２）対象となる室内の床全体を養生する必要があるため、室内全面の天井仕上材を剥がさなければ他の作業を行うことができない。
（３）天井が高い場合には作業時に足場が必要となるが、足場上での作業は危険である。
（４）剥がした天井仕上材をそのまま床面に落下させると騒音が発生する。
（５）剥がした天井仕上材が作業員の頭に当たる危険がある。
（６）天井仕上材の上面の照明などの配線を、バール等でひっかけて破断するおそれがある。
（７）天井仕上材を剥がす作業は重労働であり、作業員の負担が大きい。
【０００４】
本発明は、ほこりやゴミが広がることなく、騒音を発生せずに天井仕上材を剥がして解体、回収することができる、天井仕上材解体回収装置を提供することを目的とする。
【課題を解決するための手段】
【０００５】
上記目的を達成するためになされた本願の第１発明は、本体部と、前記本体部に対して上下動可能な解体ユニットと、前記本体部内に収容可能な回収箱と、からなり、前記解体ユニットは、支持台と、前記支持台の後方に取り付けた解体刃ユニットと、からなり、前記解体刃ユニットはフォークを突設した解体刃を有し、前記解体刃は前記支持台に対して前後方向および上下方向に移動可能であり、前記支持台は下部に開口部を有し、前記開口部下方に前記回収箱を配置することを特徴とする、天井仕上材解体回収装置を提供する。
本願の第２発明は、第１発明の天井仕上材解体回収装置において、前記解体刃は前記支持台に対して前後方向に移動可能であることを特徴とする、天井仕上材解体回収装置を提供する。
本願の第３発明は、第１発明又は第２発明の天井仕上材解体回収装置において、前記解体ユニットには、前記支持台の前部に切断工具を設け、前記切断工具の刃は前記支持台の上面から突出可能に構成することを特徴とする、天井仕上材解体回収装置を提供する。
本願の第４発明は、第１発明乃至第３発明のいずれか一項の天井仕上材解体回収装置において、前記支持台の前記開口部と前記回収箱との間にシュートを設けることを特徴とする、天井仕上材解体回収装置を提供する。
本願の第５発明は、第１発明乃至第４発明のいずれか一項の天井仕上材解体回収装置において、前記回収箱は、箱体の内部に袋体を設けて構成し、前記箱体と前記袋体の間に、クッション材を設けることを特徴とする、天井仕上材解体回収装置を提供する。
本願の第６発明は、第３発明乃至第５発明のいずれか一項の天井仕上材解体回収装置において、前記切断工具の刃の前記支持台の上面からの突出長さを調整可能であることを特徴とする、天井仕上材解体回収装置を提供する。
本願の第７発明は、第１発明乃至第６発明のいずれか一項の天井仕上材解体回収装置において、前記本体部は、下部に設けたキャスターにより自走可能であることを特徴とする、天井仕上材解体回収装置を提供する。
【発明の効果】
【０００６】
本発明は、上記した課題を解決するための手段により、次のような効果の少なくとも一つを得ることができる。
（１）解体ユニットで囲んだ天井仕上材を剥がして解体するため、天井仕上材やほこりなどが広がって落下することがなく、床を養生する必要がない。
（２）床を養生する必要がなく、装置による解体部分以外は別の作業を行うことができる。
（３）高い天井でも足場を使わずに解体できるため安全である。
（４）解体した天井仕上材は解体ユニットからシュートを経由してクッション材を設けた回収箱に入るため、騒音が発生しない。
（５）解体した天井仕上材は回収箱に入るため、作業員に当たる危険がない。
（６）天井仕上材の上面に解体刃のフォークを沿わせて解体するため、天井仕上材上面の照明などの配線をひっかけて破断するおそれがない。
（７）解体・回収作業を装置で自動で行うため、作業員の負担がなく、誰でも行うことができる。
【図面の簡単な説明】
【０００７】
【図１】天井仕上材解体回収装置の斜視図
【図２】支持台の斜視図
【図３】解体刃ユニットの斜視図
【図４】解体刃の上下動の説明図
【図５】解体刃の前後動の説明図
【図６】天井仕上材解体回収工程の説明図（１）
【図７】天井仕上材解体回収工程の説明図（２）
【図８】天井仕上材解体回収工程の説明図（３）
【図９】解体刃を前後動しない場合の天井仕上材解体回収工程の説明図
【図１０】切断工具の上下動の説明図
【図１１】切断工具を用いた天井仕上材解体回収工程の説明図
【実施例１】
【０００８】
以下、図面を参照しながら本発明の実施の形態について説明する。なお、以下の説明における前後方向とは本発明の天井仕上材解体回収装置が天井仕上材を解体しながら進む方向を前方向としたものである。
【０００９】
＜１＞天井仕上材解体回収装置
本発明の天井仕上材解体回収装置は、内装リニューアル工事や耐震補強工事などのために、天井仕上材Ｐを野縁などの天井下地材から剥がして回収するためのものである。
天井仕上材解体回収装置は、本体部１と、本体部１に対して上下動可能な解体ユニット２と、本体部１内に収容可能な回収箱３と、からなる（図１）。
【００１０】
＜２＞本体部
本体部１は、フレーム１１とフレーム１１の下部に取り付けた底板１２により構成する。底板１２の下面にはキャスター１３を取り付ける。キャスター１３はモータ等により駆動可能としてもよい。
底板１２の側面には、本体部１のフレーム１１内に回収箱３を収容する際に用いるスロープ１６を取り付ける。スロープ１６は折り畳み可能としてもよい。
フレーム１１の前部には解体ユニット２の下部フレーム４を上下に摺動可能に取り付け、底板１２の上面前部に設けた解体ユニット上下動機構１４と連結する。解体ユニット上下動機構１４は連結した下部フレーム４を上下動するためのジャッキ１４１と、ジャッキ１４１を操作するためのドリルドライバー等の電動工具１４２を有する。解体ユニット上下動機構１４の電動工具１４２を操作することにより下部フレーム４を介して解体ユニット２を上下動する。また、電動工具１４２の代わりにモーター等によりジャッキ１４１を動作してもよい。
フレーム１１内には、天井仕上材解体回収装置の各部位を操作・制御するための制御盤１５を収容する。
【００１１】
＜３＞解体ユニット
解体ユニット２は、本体部１に上下に摺動可能に取り付ける下部フレーム４と、下部フレーム４の上部に設ける支持台５と、支持台５の後部に取り付ける解体刃ユニット６と、からなる。
【００１２】
＜３．１＞支持台（図２）
支持台５は、上面を開放した箱体であり、底面後方に開口部５１を設ける。
支持台５の上面には横支持材５２を配置し、横支持材５２から開口部５１にかけて斜面５３を形成する。横支持材５２は支持台５の側板５４と合わせて平面視コ字状を呈する。
支持台５の横支持材５２より前方の内部には、切断工具５５、クリーナー５６および切断工具５５を上下動するスライドモーター５７を配置してもよい。
【００１３】
＜３．２＞解体刃ユニット（図３）
解体刃ユニット６は支持台５の後部に取り付け、前方にフォーク６１１を突設する解体刃６１を保持し、かつ、解体刃６１を支持台５に対して上下動・前後動させる部材である。
解体刃６１は、側面視略コ字状の上下駆動部６２に上下動可能に取り付け、上下駆動部６２は上下面を開放した箱体の前後駆動部６３に前後動可能に取り付ける。
上下駆動部６２は、略コ字状の上下支持体６２１の上下に亘って、２本の支柱６２２と上下回動ボルト６２３とを取り付ける。上下回動ボルト６２３は軸受等を介して回動自在に取り付け、上下動モーター６２４により回動する。上下動モーター６２４は制御盤１５にスイッチ等を設けて動作を制御する。
前後駆動部６３は、箱体の前後支持体６３１の内部に前後方向に亘って、２本の支柱６３２と前後回動ボルト６３３と、を取り付ける。前後回動ボルト６３３は軸受等を介して回動自在に取り付け、前後動モーター６３４により回動する。前後動モーター６３４は制御盤１５にスイッチ等を設けて動作を制御する。
【００１４】
＜３．２．１＞解体刃の上下動（図４）
解体刃６１には上下回動ボルト６２３と螺合する螺合部６１２を設ける。
これにより、上下動モーター６２４を作動して上下回動ボルト６２３を回動すると、解体刃６１が上下回動ボルト６２３に沿って上下動する。
また、解体刃６１には、上下支持体６２１の支柱６２２に対応する支柱軸受６１３を設けることにより、解体刃６１は水平を保ったまま上下動する。
【００１５】
＜３．２．２＞解体刃の前後動（図５）
上下駆動部６２には前後回動ボルト６３３と螺合する螺合部６２６を設ける。
これにより、前後動モーター６３４を作動して前後回動ボルト６３３を回動すると、上下駆動部６２および解体刃６１が前後回動ボルト６３３に沿って前後動する。
また、上下駆動部６２には、前後支持体６３１の支柱６３２に対応する支柱軸受６２５を設けることにより、上下駆動部６２および解体刃６１は水平を保ったまま前後動する。
【００１６】
＜４＞天井仕上材の解体回収工程
次に本発明の天井仕上材解体回収装置を使用した天井仕上材の解体回収工程について説明する。
【００１７】
＜４．１＞現場への配置
本発明の天井仕上材解体回収装置を施工現場に運び込む（図６（ａ））。
天井仕上材解体回収装置の本体部１の底部にはキャスター１３を取り付けてあり、容易に移動することができる。
本体部１内には回収箱３を収容する。回収箱３は箱体３１の底面にキャスター３２を設けたものであり、本体部１のスロープ１６によって容易に本体部１内に収容できる。
回収箱３の箱体３１内には回収した天井仕上材Ｐを集めるための袋体３３を設ける。袋体３３と箱体３１との間にはクッション材３４を設ける。
支持台５の底面の開口部５１と回収箱３の袋体３３の間には、解体ユニット２の上下動に追従する長さのシュート７を設ける。
天井仕上材解体回収装置は、解体したい天井仕上材Ｐの端部が平面視で支持台５の後端よりも内側の位置となる位置に配置する。
【００１８】
＜４．２＞支持台の高さ合わせ
解体ユニット上下動機構１４の電動工具１４２を操作して支持台５を上方に動かし、支持台５の上部を天井仕上材Ｐの下面に合わせる（図６（ｂ））。
【００１９】
＜４．３＞解体刃の移動
＜４．３．１＞解体刃の上昇
解体刃ユニット６の解体刃６１は支持台５の外であって後方に位置している。
解体刃ユニット６の上下動モーター６２４を操作し、解体刃６１を天井仕上材Ｐの高さまで上昇する（図７（ｃ））。
解体刃６１は最上部まで上昇したときに、フォーク６１１の下端が支持台５よりも上方で、天井仕上材Ｐの上面よりもわずかに上の高さとなるように予め設定しておく。
【００２０】
＜４．３．２＞解体刃の前進
解体刃ユニット６の前後動モーター６３４を操作し、上下駆動部６２および解体刃６１を前進する（図７（ｄ））。
解体刃６１を前進することにより、解体刃６１のフォーク６１１が支持台５内の上方であって、天井仕上材Ｐの上面に沿って移動する。
天井仕上材Ｐの上面には照明などの配線があることがあるが、天井仕上材Ｐの上面よりもわずかに上の高さのフォーク６１１が天井仕上材Ｐの上面に沿って移動するため、天井仕上材Ｐ上面の配線にフォーク６１１を引っかけて破断させるおそれがない。
【００２１】
＜４．４＞天井仕上材の解体・回収
天井仕上材Ｐの上面上部に配置した解体刃６１を、上下動モーター６２４を操作して下降する（図８）。
すると、天井仕上材Ｐが解体刃６１のフォーク６１１によって支持台５内部方向に押し下げられ、支持台５の横支持材５２および側板５４上辺を支点として折れ曲がり、天井仕上材Ｐ′が天井仕上材Ｐから解体される。
解体された天井仕上材Ｐ′は支持台５の横支持材５２と側板５４で折れ曲がるため、ほぼ均一な大きさとなる。また、支持台５で支持しながら解体するため、天井下地を痛めることなく再利用することができる。
天井仕上材Ｐ′は支持台５の開口部５１からシュート７を経由して開口部５１の下方に位置する回収箱３の袋体３３に落下する。このため、作業員に当たる危険がない。
解体される天井仕上材Ｐ′は、解体ユニット２の支持台５および解体刃ユニット６によって包囲されており、支持台５から回収箱３にはシュート７を配置するため、天井仕上材Ｐの破片や天井仕上材Ｐ上面のほこりなどが室内に広がり床に落下することがない。このため、床等を養生する必要がなく、装置による天井仕上材Ｐの解体部分以外は、別の作業を行うことができる。
天井仕上材Ｐ′が落下する回収箱３の箱体３１にはクッション材３４を配置するため、天井仕上材Ｐの落下時に騒音が発生しない。
【００２２】
上記工程を繰り返すことにより、天井仕上材Ｐを解体していく。
作業員は天井仕上材解体回収装置を前進させて、解体したい天井仕上材Ｐの端部に支持台５の位置を合わせるのみで、解体・回収作業は天井仕上材解体回収装置を操作して自動で行うため、作業員の負担がなく、誰でも行うことができる。また、モーター等により本体部１のキャスター１３を駆動し、予め天井仕上材解体回収装置の前進距離を決めておいて自動で前進させることにより、全ての工程を自動で繰り返して行うこともできる。
高い天井でも足場を使わずに解体ユニット２を上方に移動して解体できるため、高所作業が発生せず安全である。
解体された天井仕上材Ｐ′はほぼ均一な大きさのため、回収箱３および袋体３３内でかさばることなくまとめられる。
回収箱３はキャスター３２を有するため、スロープ１６を使用して容易に本体部１から取り出せるため、天井仕上材Ｐ′の回収も容易である。
【実施例２】
【００２３】
実施例１においては、解体刃６１および上下駆動部６２を前後動モーター６３４によって前後動するように構成したが、支持台５の範囲内における上下動のみで天井仕上材Ｐを解体回収するように構成してもよい。
解体刃６１を上昇した状態で、天井仕上材解体回収装置を前進させて、解体刃６１のフォーク６１１を天井仕上材Ｐの上面に沿って移動し（図９（ａ））、解体刃６１を押し下げて天井仕上材Ｐを解体回収する（図９（ｂ））。
そして、そのまま解体刃６１を再度上昇し（図９（ｃ））、天井仕上材解体回収装置を前進させて、再度解体刃６１のフォーク６１１を解体されていない天井仕上材Ｐの上面に移動する（図９（ｄ））。
上記工程を繰り返すことにより、天井仕上材Ｐを解体していく。
【実施例３】
【００２４】
＜１＞解体前の天井仕上材Ｐの切削
実施例１、２においては、天井仕上材Ｐを横支持材５２と側板５４を支点として解体刃を押し下げて解体したが、予め支持台５に設けた切断工具５５により天井仕上材Ｐを側板５４と平行となる前後方向に切削しておいてもよい。
【００２５】
＜２＞切断工具
切断工具５５は支持台５の上面から突出し、天井仕上材Ｐを切断できるものであればよいが、ルータ５５１にドリル刃５５２を取り付けたものであれば、天井仕上材Ｐへの切り込み深さの調整が容易であり、天井仕上材Ｐ上面の配線を誤って切断することがない。
切断工具５５はスライドモーター５７により支持台５に対して上下動する（図１０（ａ）、図１０（ｂ））。
ことで、天井仕上材Ｐへの切り込み深さが調整でき、実施例１のように天井仕上材Ｐへの切り込みを行わない場合には支持台５内に収容しておくことで切断工具５５を保護できる。
切断工具５５のドリル刃５５２の支持台５からの突出長さは、天井仕上材Ｐの厚さと同じか、それより短いことが好ましい。
【００２６】
＜２＞天井仕上材の解体回収工程
次に、切断工具５５を使用する場合の天井仕上材Ｐの解体回収工程について説明する。
【００２７】
＜２．１＞現場への配置
実施例１と同様に、天井仕上材解体回収装置を施工現場に運び込み配置する。
このとき、天井仕上材解体回収装置は、解体したい天井仕上材Ｐの端部が平面視で切断工具５５よりも前方に位置するように配置する。また、切断工具５５と反対側の側板５４より内側に、解体済みの天井仕上材Ｐの辺を合わせる（図１１（ａ））。
【００２８】
＜２．２＞支持台の高さ合わせ
解体ユニット上下動機構１４の電動工具１４２を操作して支持台５を上方に動かし、支持台５の上部を天井仕上材Ｐの下面に合わせる。
そして、スライドモーター５７を操作し、切断工具５５を上方に移動しドリル刃５５２を支持台５から突出する。スライドモーター５７は制御盤１５にスイッチ等を設けて動作を制御する。
【００２９】
＜２．３＞天井仕上材の切削
切断工具５５とクリーナー５６を起動し、天井仕上材解体回収装置を前進する。
天井仕上材解体回収装置を前進しながら、切断工具５５のドリル刃５５２により天井仕上材Ｐに切削溝Ｇを形成する（図１１（ｂ））。切断工具５５とクリーナー５６は制御盤１５にスイッチ等を設けて動作を制御する。
ドリル刃５５２の支持台５からの突設長さを天井仕上材Ｐの厚さと同じかそれより短くすることにより、切削溝Ｇを形成するドリル刃５５２が天井仕上材Ｐを貫通して天井仕上材Ｐ上面の配線を誤って切断することがない。
クリーナー５６を起動することで、切削溝Ｇの形成により発生する切りくずが室内に広がることがない。
【００３０】
＜４．３＞解体刃の移動、天井仕上材の解体・回収
解体刃ユニット６の上下動モーター６２４および前後動モーター６３４を操作し、解体刃６１のフォーク６１１が天井仕上材Ｐの上面上部に配置してから天井仕上材Ｐを押し下げて解体する（図１１（ｃ））。
天井仕上材Ｐは横方向の一方は解体済みの辺であり、もう一方には切削溝Ｇが形成されているため、横支持材５２が支点となり容易に折れ曲がり、ほぼ均一な大きさとなる。
上記工程を繰り返すことにより、天井仕上材Ｐを解体していく。
【符号の説明】
【００３１】
１      本体部
２      解体ユニット
３      回収箱
４      下部フレーム
５      支持台
６      解体刃ユニット
６１    解体刃
６２    上下駆動部
６３    前後駆動部
【図１】
2018178494.tif 000003
【図２】
2018178494.tif 000004
【図３】
2018178494.tif 000005
【図４】
2018178494.tif 000006
【図５】
2018178494.tif 000007
【図６】
2018178494.tif 000008
【図７】
2018178494.tif 000009
【図８】
2018178494.tif 000010
【図９】
2018178494.tif 000011
【図１０】
2018178494.tif 000012
【図１１】
2018178494.tif 000013